(57)【要約】  ＳＣＨデータの送信を効率よく行ってデータ通信の機会を失うことなく異周波セルサーチを行うことができる基地局。この基地局（１００）において、符号化部（１０１）はＳＣＨデータを符号化し、変調部（１０２）は符号化後のＳＣＨデータを変調し、送信タイミング設定部（１０３）はＳＣＨデータの送信タイミングを設定し、符号化部（１０４−１〜１０４−Ｎ）はユーザデータ（＃１〜＃Ｎ）をそれぞれ符号化し、変調部（１０５−１〜１０５−Ｎ）は符号化後のユーザデータ（＃１〜＃Ｎ）をそれぞれ変調し、ＩＦＦＴ部（１０６）はＳＣＨデータおよびユーザデータ（＃１〜＃Ｎ）をサブキャリア（＃１〜＃Ｋ）の各々にマッピングしてＩＦＦＴを行ってＯＦＤＭシンボルを生成する。送信タイミング設定部（１０３）は、例えば、ＳＣＨデータの送信周期がフレーム周期と互いに素な関係、すなわち、両者の最大公約数が１になるようにＳＣＨデータの送信タイミングを設定する。
2007080976.tif 000002
【特許請求の範囲】
【請求項１】
同期チャネル信号の送信タイミングを、１フレームを構成する複数のサブフレームのいずれかに設定する設定手段と、
前記設定手段によって設定された前記送信タイミングで前記同期チャネル信号を送信する送信手段と、を具備し、
前記設定手段は、前記複数のサブフレームにおいて前記送信タイミングを設定するサブフレームを時間の経過とともに変化させる、
無線通信基地局装置。
【請求項２】
前記設定手段は、前記複数のサブフレームにおいて前記送信タイミングを設定するサブフレームを周期的に変化させる、
請求項１記載の無線通信基地局装置。
【請求項３】
前記設定手段は、前記複数のサブフレームにおいて前記送信タイミングを設定するサブフレームを１フレーム毎に変化させる、
請求項１記載の無線通信基地局装置。
【請求項４】
前記設定手段は、前記同期チャネル信号の送信周期がフレーム周期と互いに素な関係になるように前記送信タイミングを設定する、
請求項１記載の無線通信基地局装置。
【請求項５】
前記設定手段は、前記同期チャネル信号の送信周期がフレーム周期のＮ分の１（Ｎは自然数）と互いに素な関係になるように前記送信タイミングを設定する、
請求項１記載の無線通信基地局装置。
【請求項６】
前記設定手段は、前記同期チャネル信号の送信周期がフレーム周期のＮ分の１（Ｎは自然数）と互いに素な関係にある周期のＮ倍の周期になるように前記送信タイミングを設定する、
請求項１記載の無線通信基地局装置。
【請求項７】
前記送信手段は、さらに、前記設定手段によって設定された前記送信タイミングを無線通信移動局装置へ通知する通知信号を送信する、
請求項１記載の無線通信基地局装置。
【請求項８】
前記同期チャネル信号は、第１同期チャネル信号と第２同期チャネル信号とからなり、  前記送信手段は、前記第２同期チャネル信号を用いて前記通知信号を送信する、
請求項７記載の無線通信基地局装置。
【請求項９】
前記設定手段は、さらに、前記同期チャネル信号の送信周期をＦＤＤシステムとＴＤＤシステムとで互いに異ならせて前記送信タイミングを設定する、
請求項１記載の無線通信基地局装置。
【請求項１０】
１フレームを構成する複数のサブフレームのいずれかに同期チャネル信号の送信タイミングを設定し、その設定した送信タイミングで前記同期チャネル信号を送信する同期チャネル信号送信方法であって、
前記複数のサブフレームにおいて前記送信タイミングを設定するサブフレームを時間の経過とともに変化させる、
同期チャネル信号送信方法。
【発明の詳細な説明】
【技術分野】
【０００１】
本発明は、無線通信基地局装置および同期チャネル信号送信方法に関する。
【背景技術】
【０００２】
近年、無線通信、特に移動体通信では、音声以外に画像やデータなどの様々な情報が伝送の対象になっている。今後は、多様なコンテンツの伝送に対する需要がますます高くなることが予想されるため、高速な伝送に対する必要性がさらに高まるであろうと予想される。しかしながら、移動体通信において高速伝送を行う場合、マルチパスによる遅延波の影響が無視できなくなり、周波数選択性フェージングにより伝送特性が劣化する。【０００３】
周波数選択性フェージング対策技術の１つとして、ＯＦＤＭ（Orthogonal Frequency Division Multiplexing）などのマルチキャリア通信が注目されている。マルチキャリア通信は、周波数選択性フェージングが発生しない程度に伝送速度が抑えられた複数の搬送波（サブキャリア）を用いてデータを伝送することにより、結果的に高速伝送を行う技術である。特に、ＯＦＤＭ方式は、データが配置される複数のサブキャリアが相互に直交しているため、マルチキャリア通信の中でも周波数利用効率が高く、また、比較的簡単なハードウェア構成により実現できることから、とりわけ注目されており、様々な検討が行われている。【０００４】
現在、３ＧＰＰのＬＴＥ標準化では、下り回線の通信方式としてＯＦＤＭ方式を採用することが検討されている。下り回線のＯＦＤＭでは、複数の無線通信移動局装置（以下、移動局と省略する）へのユーザデータおよび制御データが周波数多重または時間多重されて無線通信基地局装置（以下、基地局と省略する）から各移動局へ送信される。【０００５】
下り回線のＯＦＤＭにおける制御データの送信方法として、ＳＣＨ（Synchronization Channel：同期チャネル）データを固定の帯域幅（例えば１.２５ＭＨｚ）を用い、固定のタイミング（例えばフレーム末尾）で送信することが提案されている（非特許文献１参照）。【０００６】
ここで、ＳＣＨは下り方向の共通チャネルで、Ｐ−ＳＣＨ（Primary Synchronization Channel）とＳ−ＳＣＨ（Secondary Synchronization Channel）とからなる。Ｐ−ＳＣＨデータには全セル共通の系列が含まれ、この系列はセルサーチ時のタイミング同期に用いられる。また、Ｓ−ＳＣＨデータにはスクランブリングコード情報等、各セル固有の送信パラメータが含まれる。各移動局は、電源投入時およびハンドオーバ時のセルサーチにおいて、Ｐ−ＳＣＨデータを受信することによりタイミング同期をとり、続いて、Ｓ−ＳＣＨデータを受信することによりセル毎に異なる送信パラメータを取得する。これにより各移動局は基地局との通信を開始することができる。よって、各移動局は、電源投入時およびハンドオーバ時にＳＣＨデータを検出する必要がある。【０００７】
このように移動局は電源投入時のみならずハンドオーバ時にもＳＣＨデータを検出する必要がある。非同期の移動体通信システムにおいては、ＳＣＨデータの送信タイミングは基地局毎（すなわちセル毎）に異なるため、移動局は、ハンドオーバ先基地局とのタイミング同期をとるためにその基地局から送信されたＳＣＨデータを検出する必要がある。【０００８】
ここで、移動局は、現在通信している基地局ＢＳ１の周波数帯域（以下、帯域と省略する）と異なる帯域を持つ基地局ＢＳ２へハンドオーバするときには、図１に示すように、基地局ＢＳ１が設けたMeasurement Gap（ＭＧ）においてセルサーチを行い、ハンドオーバ先基地局ＢＳ２から送信されるＳＣＨデータを検出する。このように移動局が現在通信中の帯域とは異なる帯域において行うセルサーチを、以下、異周波セルサーチという。Measurement Gapは、基地局と移動局との間のデータ送信を停止する区間であり、いわゆる無送信区間である。移動局はこのMeasurement Gapの間に異周波セルサーチを行う。よって、移動局は、ＢＳ１からのユーザデータの受信途中に、Measurement Gapにおいて、受信周波数をＢＳ１の帯域からＢＳ２の帯域に切り替えてＳＣＨデータを検出し、その後再び、ＢＳ２の帯域からＢＳ１の帯域に受信周波数を切り替えてユーザデータを受信しなければならない。この受信周波数の切替には各々１サブフレーム程度の時間を要するため、検出時間も考慮し、ここではMeasurement Gapを３サブフレーム区間設定している。【０００９】
以下、１フレームが１０ｍｓであり、２０サブフレームからなる通信システムを想定して説明する。また、ＳＣＨデータは１フレームにおいていずれか１つのサブフレームで１回送信される。また、例えば、上記ＢＳ１は、８００ＭＨｚ帯のマクロセルに設置され通常の移動体通信を行う基地局であり、上記ＢＳ２は、そのマクロセル内の一部にホットスポット等として設定された２ＧＨｚ帯または２.６ＧＨｚ帯のマイクロセルに設置され高速通信を行う基地局である。【００１０】
従来、Measurement Gapは、周期的に、つまり、１フレーム内のいずれかのサブフレームに固定的に設定されている。例えば、図１では、Measurement Gapは、すべてのフレームにおいてサブフレーム＃３〜＃５に固定的に設定される。なお、Measurement Gapが設定されるサブフレームは移動局毎に異なることもある。
【非特許文献１】3GPP RAN WG1 LTE Ad Hoc meeting(2005.06) R1-050590
【発明の開示】
【発明が解決しようとする課題】
【００１１】
しかしながら、上記のようにMeasurement Gapが固定的に設定される場合、従来のようにＳＣＨデータが固定のタイミングで送信されると、移動局ではMeasurement Gapで異周波セルサーチを行えないことがある。例えば、図２に示すように、ＢＳ１のMeasurement Gapがいずれのフレームにおいてもサブフレーム＃３〜＃５に固定的に設定されるのに対し、ＢＳ２からのＳＣＨデータの送信がいずれのフレームにおいてもサブフレーム＃６で行われると、移動局は、いずれのフレームにおいてもＢＳ１でのMeasurement GapでＢＳ２からのＳＣＨデータを検出することができず、よって、異周波セルサーチを行えなくなってしまう。【００１２】
このような課題を解決するために、図３〜図５に示すように、ＢＳ１でのMeasurement Gapをフレーム毎に１サブフレームずつ移動させることが考えられる。例えば、フレーム＃１ではMeasurement Gapをサブフレーム＃３〜＃５に設定し（図３）、フレーム＃２ではMeasurement Gapをサブフレーム＃４〜＃６に設定し（図４）、フレーム＃３ではMeasurement Gapをサブフレーム＃５〜＃７に設定する（図５）。このようにすれば、移動局は、最大２０フレームに必ず一度はＢＳ２からのＳＣＨデータを検出することができる。【００１３】
しかし、このような解決方法を採ると新たに以下の課題が生じる。すなわち、上記のようにしてMeasurement Gapを移動させると、移動局は、フレーム＃１，＃２，＃３（図３，図４，図５）のいずれにおいてもサブフレーム＃５ではデータ通信を行うことができない。【００１４】
よって、ＢＳ１におけるフレームフォーマットが図６に示すようなもので固定である場合、異周波セルサーチ中の移動局はＭＢＭＳ（Multimedia Broadcast/Multicast Service）データの受信機会を失ってしまい、その結果、ＭＢＭＳのサービス品質が低下する。ＭＢＭＳの通信は１対１の通信ではなく１対多の通信となるため、ＭＢＭＳを行う基地局は、複数の移動局に対して同時に同一のデータ（音楽データ、動画像データ等）を送信する。ＭＢＭＳとしては、交通情報の配信、音楽配信、ニュース配信、スポーツ中継等が検討されている。例えば、ＭＢＭＳでは、図６に示すように、ＢＳ１と通信するすべての移動局が同じサブフレーム＃５で同一のＭＢＭＳデータを受信するため、ＢＳ１と通信する移動局が増えた場合でもＭＢＭＳデータ用のサブフレームを増加させる必要がない。このため、フレーム中の１サブフレームのみをＭＢＭＳデータに使用し、残りの１９サブフレームを各移動局個別のデータに使用する図６に示すようなフレームフォーマットについては十分考慮する必要がある。【００１５】
また、ＢＳ１におけるフレームフォーマットが図７に示すようなもので固定である場合（ＤＬ：下り回線データ、ＵＬ：上り回線データ）、異周波セルサーチ中の移動局は上り回線データの送信機会を失ってしまう。最近はますます音楽データ、動画像データ等の移動局へのダウンロードが盛んになっているため、フレーム中の１サブフレームのみを上り回線に使用し、残りの１９サブフレームを下り回線に使用する図７に示すようなフレームフォーマットについては十分考慮する必要がある。このようなダウンロード中であっても移動局は制御データ等をＢＳ１に送信する必要があるため、上り回線データの送信機会を失ってしまうと、その結果、下り回線データの受信さえも行えなくなってしまう。【００１６】
本発明の目的は、上記課題を解決してＳＣＨデータの送信を効率よく行うことができる基地局およびＳＣＨデータ（同期チャネル信号）送信方法を提供することである。
【課題を解決するための手段】
【００１７】
本発明の基地局は、同期チャネル信号の送信タイミングを、１フレームを構成する複数のサブフレームのいずれかに設定する設定手段と、前記設定手段によって設定された前記送信タイミングで前記同期チャネル信号を送信する送信手段と、を具備し、前記設定手段は、前記複数のサブフレームにおいて前記送信タイミングを設定するサブフレームを時間の経過とともに変化させる構成を採る。
【発明の効果】
【００１８】
本発明によれば、ＳＣＨデータ（同期チャネル信号）の送信を効率よく行ってデータ通信の機会を失うことなく異周波セルサーチを行うことができる。
【図面の簡単な説明】
【００１９】
【図１】従来のＳＣＨデータ送信方法
【図２】従来のＳＣＨデータ送信方法に対する課題例
【図３】従来のＳＣＨデータ送信方法に対する課題解決例（フレーム＃１）
【図４】従来のＳＣＨデータ送信方法に対する課題解決例（フレーム＃２）
【図５】従来のＳＣＨデータ送信方法に対する課題解決例（フレーム＃３）
【図６】従来のフレームフォーマット例（フレームフォーマット例１）
【図７】従来のフレームフォーマット例（フレームフォーマット例２）
【図８】本発明の実施の形態１に係る基地局の構成を示すブロック図
【図９】本発明の実施の形態１に係る送信タイミング設定例（設定例１）
【図１０】本発明の実施の形態１に係るＳＣＨデータ検出例（フレーム＃１）
【図１１】本発明の実施の形態１に係るＳＣＨデータ検出例（フレーム＃２）
【図１２】本発明の実施の形態１に係るＳＣＨデータ検出例（フレーム＃３）
【図１３】本発明の実施の形態１に係る送信タイミング設定例（設定例２）
【図１４】本発明の実施の形態１に係る送信タイミング設定例（設定例３）
【図１５】本発明の実施の形態２に係る基地局の構成を示すブロック図
【図１６】本発明の実施の形態２に係る送信タイミング設定例
【発明を実施するための最良の形態】
【００２０】
以下、本発明の実施の形態について、図面を参照して詳細に説明する。なお、本発明は、上記ＢＳ２に関する発明である。つまり、本発明は、移動局にＳＣＨデータを送信し、異周波セルサーチの対象となる基地局に関する発明である。また、以下の説明では、ＯＦＤＭ方式をマルチキャリア通信方式の一例として説明するが、本発明はＯＦＤＭ方式に限定されるものではない。【００２１】
（実施の形態１）
本実施の形態に係る基地局１００の構成を図８に示す。【００２２】
符号化部１０１は、ＳＣＨデータを符号化する。【００２３】
変調部１０２は、符号化後のＳＣＨデータを変調する。【００２４】
送信タイミング設定部１０３は、ＳＣＨデータの送信タイミングを設定する。この送信タイミング設定の詳細は後述する。【００２５】
符号化部１０４−１〜１０４−Ｎおよび変調部１０５−１〜１０５−Ｎは、基地局１００がユーザデータを送信する移動局＃１〜＃Ｎにそれぞれ対応して備えられる。【００２６】
符号化部１０４−１〜１０４−Ｎは、ユーザデータ＃１〜＃Ｎをそれぞれ符号化する。【００２７】
変調部１０５−１〜１０５−Ｎは、符号化後のユーザデータ＃１〜＃Ｎをそれぞれ変調する。【００２８】
ＩＦＦＴ部１０６は、ＳＣＨデータおよびユーザデータ＃１〜＃Ｎをサブキャリア＃１〜＃Ｋの各々にマッピングしてＩＦＦＴ（Inverse Fast Fourier Transform：逆高速フーリエ変換）を行ってＯＦＤＭシンボルを生成する。【００２９】
このようにして生成されたＯＦＤＭシンボルは、ＣＰ付加部１０７でサイクリック・プリフィクスを付加された後、無線送信部１０８でアンプコンバート等の所定の無線処理が施され、アンテナ１０９から移動局＃１〜＃Ｎへ無線送信される。【００３０】
次いで、送信タイミング設定の詳細について説明する。【００３１】
送信タイミング設定部１０３は、ＳＣＨデータの送信タイミングを、１フレームを構成する複数のサブフレームのいずれかに設定する。よって、この送信タイミング設定により、無線送信部１０８は、送信タイミング設定部１０３よって設定された送信タイミングでＳＣＨデータを含むＯＦＤＭシンボルを送信することとなる。なお、以下の説明では、上記同様、１フレームが２０サブフレームから構成されるものとする。以下、設定例１〜３のそれぞれについて説明する。設定例１〜３のいずれにおいても、送信タイミング設定部１０３は、サブフレーム＃１〜＃２０においてＳＣＨデータの送信タイミングを設定するサブフレームを１フレーム毎に変化させる。つまり、送信タイミング設定部１０３は、ＳＣＨデータの送信タイミングを設定するサブフレームを時間の経過とともに、かつ、周期的に変化させる。【００３２】
＜設定例１＞
送信タイミング設定部１０３は、図９に示すように、ＳＣＨデータの送信タイミングを、フレーム＃１ではサブフレーム＃１に設定し、フレーム＃２ではサブフレーム＃２に設定し、フレーム＃３ではサブフレーム＃３に設定する。つまり、送信タイミング設定部１０３は、サブフレーム＃１〜＃２０のうちＳＣＨデータの送信タイミングを設定するサブフレームを、１フレーム毎に１サブフレームずつ後方に移動させる。この設定により、フレーム周期が２０サブフレームであるのに対し、ＳＣＨデータの送信周期Ｔは２１サブフレームとなる。【００３３】
なお、送信タイミング設定部１０３は、ＳＣＨデータの送信タイミングを設定するサブフレームを１フレーム毎に１サブフレームずつ前方に移動させてもよい。この設定の場合、フレーム周期が２０サブフレームであるのに対し、ＳＣＨデータの送信周期Ｔは１９サブフレームとなる。【００３４】
このように、送信タイミング設定部１０３は、ＳＣＨデータの送信周期がフレーム周期と互いに素な関係、すなわち、両者の最大公約数が１になるようにＳＣＨデータの送信タイミングを設定する。【００３５】
図９に示すようにして送信タイミングが設定されたＳＣＨデータの検出の様子を示したのが図１０〜図１２である。ここでは、上記従来同様、移動局が現在通信している基地局ＢＳ１でのMeasurement Gap（ＭＧ）は、すべてのフレームにおいてサブフレーム＃３〜＃５に固定的に設定されている。また、ＭＢＭＳデータ用または上り回線データ用のサブフレームはすべてのフレームにおいてサブフレーム＃７の１サブフレームのみに固定的に設定されている。このように、ＢＳ１におけるフレームフォーマットは固定である。【００３６】
これに対し、ＢＳ２（基地局１００）においてＳＣＨデータの送信タイミングが設定されるサブフレームは、図１０，図１１，図１２（図９のフレーム＃１，＃２，＃３にそれぞれ対応）に示すように１フレーム毎に変化し、１フレーム毎に１サブフレームずつ後方に移動する。【００３７】
よって、ＢＳ１のフレームフォーマットが固定でMeasurement Gapが移動しなくても、移動局は、フレーム＃３においてＢＳ２のＳＣＨデータを検出することができる。つまり、移動局は、ＢＳ１において１フレーム中のどのサブフレームにMeasurement Gapが固定的に設定されても、その固定位置にあるMeasurement Gapにおいて最大２０フレームに必ず一度はＢＳ２からのＳＣＨデータを検出することができ、異周波セルサーチを行うことができる。このように、本設定例によれば、固定位置にあるMeasurement Gap内に周期的にＳＣＨデータが現れるため、移動局は異周波セルサーチを迅速に行うことができる。【００３８】
また、本設定例によれば、ＢＳ２に対する異周波セルサーチを可能とするためにＢＳ１でのMeasurement Gapを移動させる必要がなく、Measurement Gapを特定のサブフレームに固定することが可能となるため、フレーム内においてMeasurement GapをＭＢＭＳデータ用または上り回線データ用のサブフレームと異なるサブフレームに設定することにより、移動局は、ＭＢＭＳデータの受信機会および上り回線データの送信機会を失うことなく異周波セルサーチを行うことができる。【００３９】
＜設定例２＞
送信タイミング設定部１０３は、図１３に示すように、ＳＣＨデータの送信タイミングを、フレーム＃１ではサブフレーム＃１に設定し、フレーム＃２ではサブフレーム＃３に設定し、フレーム＃３ではサブフレーム＃５に設定する。つまり、送信タイミング設定部１０３は、サブフレーム＃１〜＃２０のうちＳＣＨデータの送信タイミングを設定するサブフレームを、１フレーム毎に２サブフレームずつ後方に移動させ、奇数番目のサブフレームに対してのみＳＣＨデータの送信タイミングを設定する。この設定により、フレーム周期が２０サブフレームであるのに対し、ＳＣＨデータの送信周期Ｔは２２サブフレームとなる。【００４０】
なお、フレーム＃１でのＳＣＨデータの送信タイミングが偶数番目のサブフレーム（例えばサブフレーム＃２）に設定されている場合、本設定例によれば、偶数番目のサブフレームに対してのみＳＣＨデータの送信タイミングが設定される。【００４１】
また、送信タイミング設定部１０３は、ＳＣＨデータの送信タイミングを設定するサブフレームを１フレーム毎に２サブフレームずつ前方に移動させてもよい。この設定の場合、フレーム周期が２０サブフレームであるのに対し、ＳＣＨデータの送信周期Ｔは１８サブフレームとなる。【００４２】
このように、送信タイミング設定部１０３は、ＳＣＨデータの送信周期がフレーム周期のＮ分の１（Ｎは自然数）と互いに素な関係にある周期のＮ倍の周期になるようにＳＣＨデータの送信タイミングを設定する。上記のようにフレーム周期が２０サブフレームであるのに対し、ＳＣＨデータの送信周期Ｔを２２サブフレームとする場合、Ｎ＝２であり、よって、フレーム周期のＮ分の１は１０サブフレームとなる。そして、この１０サブフレームと互いに素な関係にある周期として１１サブフレームを用いた場合、この１１サブフレームのＮ倍が２２サブフレームとなる。【００４３】
このように、本設定例によれば、ＢＳ２（基地局１００）においてＳＣＨデータの送信タイミングが設定されるサブフレームは、１フレーム毎に２サブフレームずつ後方または前方に移動する。よって、図１３に示す例では、ＳＣＨデータの送信タイミングはフレーム＃１１において再びサブフレーム＃１に戻る。よって、ＢＳ１におけるMeasurement GapでのＳＣＨデータ検出区間を２サブフレーム（つまり受信周波数切替区間を含めMeasurement Gapを４サブフレーム）とすることにより、移動局は、固定位置にあるMeasurement Gapにおいて最大１０フレームに必ず一度はＢＳ２からのＳＣＨデータを検出することができる。このように、本設定例によれば、上記設定例１に比べMeasurement GapのＳＣＨデータ検出区間にＳＣＨデータが現れる頻度が高くなるため、上記設定例１に比べ異周波セルサーチに要する時間を短縮することができる。【００４４】
＜設定例３＞
送信タイミング設定部１０３は、図１４に示すように、ＳＣＨデータの送信タイミングを、フレーム＃１ではサブフレーム＃１および＃１２に設定し、フレーム＃２ではサブフレーム＃３および＃１４に設定する。つまり、送信タイミング設定部１０３は、ＳＣＨデータの送信タイミングを設定するサブフレームを１フレームに２つ設けるとともに、それら２つのサブフレームを１フレーム毎に２サブフレームずつ後方に移動させる。この設定により、フレーム周期が２０サブフレームであるのに対し、ＳＣＨデータの送信周期Ｔは１１サブフレームとなる。【００４５】
なお、送信タイミング設定部１０３は、ＳＣＨデータの送信タイミングを設定する２つのサブフレームを１フレーム毎に２サブフレームずつ前方に移動させてもよい。この設定の場合、フレーム周期が２０サブフレームであるのに対し、ＳＣＨデータの送信周期Ｔは９サブフレームとなる。【００４６】
このように、送信タイミング設定部１０３は、ＳＣＨデータの送信周期がフレーム周期のＮ分の１（Ｎは自然数）と互いに素な関係になるようにＳＣＨデータの送信タイミングを設定する。上記のようにフレーム周期が２０サブフレームであるのに対し、ＳＣＨデータの送信周期Ｔを１１サブフレームとする場合、Ｎ＝２であり、よって、フレーム周期のＮ分の１は１０サブフレームとなる。そして、この１０サブフレームと互いに素な関係にある周期が１１サブフレームとなる。【００４７】
このように、本設定例によれば、ＢＳ２（基地局１００）においてＳＣＨデータの送信タイミングが設定されるサブフレームは、上記設定例２同様、１フレーム毎に２サブフレームずつ後方または前方に移動する。さらに、本設定例では、ＳＣＨデータが送信されるサブフレームが１フレームに２つあり、それら２つのサブフレームはいずれのフレームにおいても奇数番目のサブフレームと偶数番目のサブフレームとなる。よって、本設定例によれば、移動局は、固定位置にあるMeasurement Gapにおいて最大１０フレームに必ず一度はＢＳ２からのＳＣＨデータを検出することができる。このように、本設定例によれば、上記設定例２同様、上記設定例１に比べMeasurement GapのＳＣＨデータ検出区間にＳＣＨデータが現れる頻度が高くなるため、上記設定例１に比べ異周波セルサーチに要する時間を短縮することができる。【００４８】
以上のように、本実施の形態によれば、ＳＣＨデータの送信を効率よく行ってデータ通信の機会を失うことなく異周波セルサーチを行うことができる。【００４９】
（実施の形態２）
本実施の形態に係る基地局は、送信タイミング設定部１０３によって設定されたＳＣＨデータの送信タイミングをＳ−ＳＣＨにより移動局へ通知する。【００５０】
本実施の形態に係る基地局２００の構成を図１５に示す。図１５において実施の形態１（図８）と同一の構成部分には同一符号を付し説明を省略する。【００５１】
送信タイミング設定部１０３は、設定したＳＣＨデータの送信タイミングを移動局へ通知するデータ、すなわち、ＳＣＨデータを送信するタイミングがサブフレーム＃１〜＃２０のいずれであるかを示すデータ（送信タイミング通知データ）を生成し、Ｓ−ＳＣＨデータとして符号化部２０１に出力する。つまり、送信タイミング通知データは、ＳＣＨのうちＳ−ＳＣＨにより伝送される。送信タイミング通知データは、例えば、ＳＣＨデータが送信されるサブフレームの番号である。【００５２】
また、符号化部２０１には、Ｓ−ＳＣＨデータとして、スクランブリングコード情報等が入力される。【００５３】
符号化部２０１は、Ｓ−ＳＣＨデータを符号化する。【００５４】
変調部２０２は、符号化後のＳ−ＳＣＨデータを変調する。【００５５】
また、ＳＣＨのうちＰ−ＳＣＨで伝送されるデータ（Ｐ−ＳＣＨデータ）が変調部２０３で変調される。【００５６】
送信タイミング設定部１０３は、Ｐ−ＳＣＨデータとＳ−ＳＣＨデータとからなるＳＣＨデータの送信タイミングを実施の形態１と同様にして設定する。ここでは、上記設定例１により送信タイミングを設定する。よって、Ｐ−ＳＣＨデータとＳ−ＳＣＨデータとからなるＳＣＨデータの送信タイミングは、図１６に示すようになる。【００５７】
ＩＦＦＴ部１０６は、Ｐ−ＳＣＨデータとＳ−ＳＣＨデータとからなるＳＣＨデータおよびユーザデータ＃１〜＃Ｎをサブキャリア＃１〜＃Ｋの各々にマッピングしてＩＦＦＴを行ってＯＦＤＭシンボルを生成する。【００５８】
ここで、図１６に示す例では、送信タイミング通知データとして、フレーム＃１のＳ−ＳＣＨではサブフレーム＃１が、フレーム＃２のＳ−ＳＣＨではサブフレーム＃２が、フレーム＃３のＳ−ＳＣＨではサブフレーム＃３がそれぞれ通知される。よって、本実施の形態によれば、移動局は電源投入時のセルサーチおよび異周波セルサーチの際にフレームタイミングを知ることができるため、電源投入時のセルサーチおよび異周波セルサーチに要する時間を短縮することができる。【００５９】
なお、ここではＰ−ＳＣＨとＳ−ＳＣＨとを時間多重したが、多重方式は周波数多重等、他の方式でもよい。【００６０】
（実施の形態３）  
本実施の形態では、ＳＣＨデータの送信周期をＦＤＤ（Frequency Division Duplex）システムとＴＤＤ（Time Division Duplex）システムとで互いに異ならせる。【００６１】
本実施の形態に係る基地局１００の構成は実施の形態１（図８）と同一である。但し、送信タイミング設定部１０３は、基地局１００がＦＤＤシステムにおいて用いられる基地局である場合と、ＴＤＤシステムにおいて用いられる基地局である場合とで、ＳＣＨデータの送信周期を互いに異ならせてＳＣＨデータの送信タイミングを設定する。例えば、上記マクロセルにはＦＤＤシステムが適用され、上記マイクロセルにはＴＤＤシステムが適用される場合、マクロセルに設置された基地局１００の送信タイミング設定部１０３はＳＣＨデータの送信周期を上記設定例１に従って２１サブフレームに設定するのに対し、マイクロセルに設置された基地局１００の送信タイミング設定部１０３はＳＣＨデータの送信周期を上記設定例２に従って１１サブフレームに設定する。【００６２】
これにより、移動局は、電源投入時のセルサーチおよび異周波セルサーチの際に、ＳＣＨデータの送信周期に基づいて、通信方式がＦＤＤ方式またはＴＤＤ方式のいずれであるかを判定することができ、各セルの通信方式に適応した通信を行うことができる。【００６３】
以上、本発明の実施の形態について説明した。【００６４】
なお、Measurement Gapが設定されるサブフレームは移動局毎に異なっていてもよい。【００６５】
また、基地局はNode B、移動局はUE、サブキャリアはトーン、サイクリック・プリフィクスはガードインターバル、サブフレームはタイムスロットまたは単にスロットと呼ばれることもある。【００６６】
また、上記実施の形態では、本発明をハードウェアで構成する場合を例にとって説明したが、本発明はソフトウェアで実現することも可能である。【００６７】
また、上記実施の形態の説明に用いた各機能ブロックは、典型的には集積回路であるＬＳＩとして実現される。これらは個別に１チップ化されてもよいし、一部又は全てを含むように１チップ化されてもよい。【００６８】
ここでは、ＬＳＩとしたが、集積度の違いにより、ＩＣ、システムＬＳＩ、スーパーＬＳＩ、ウルトラＬＳＩと呼称されることもある。【００６９】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【００７０】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。【００７１】
２００６年１月１３日出願の特願２００６−００５７８１の日本出願に含まれる明細書、図面および要約書の開示内容は、すべて本願に援用される。
【産業上の利用可能性】
【００７２】
本発明は、移動体通信システムおいて使用される基地局等に好適である。
【図１】
2007080976.tif 000003
【図２】
2007080976.tif 000004
【図３】
2007080976.tif 000005
【図４】
2007080976.tif 000006
【図５】
2007080976.tif 000007
【図６】
2007080976.tif 000008
【図７】
2007080976.tif 000009
【図８】
2007080976.tif 000010
【図９】
2007080976.tif 000011
【図１０】
2007080976.tif 000012
【図１１】
2007080976.tif 000013
【図１２】
2007080976.tif 000014
【図１３】
2007080976.tif 000015
【図１４】
2007080976.tif 000016
【図１５】
2007080976.tif 000017
【図１６】
2007080976.tif 000018
【手続補正書】
【提出日】平成20年7月2日(2008.7.2)
【手続補正１】
【補正対象書類名】特許請求の範囲
【補正対象項目名】全文
【補正方法】変更
【補正の内容】
【特許請求の範囲】
【請求項１】
同期チャネル信号の送信タイミングを、１フレームを構成する複数のサブフレームのいずれかに設定する設定手段と、
前記設定手段によって設定された前記送信タイミングで前記同期チャネル信号を送信する送信手段と、を具備し、
前記設定手段は、前記複数のサブフレームにおいて前記送信タイミングを設定するサブフレームを時間の経過とともに変化させる、
無線通信基地局装置。
【請求項２】
前記設定手段は、前記複数のサブフレームにおいて前記送信タイミングを設定するサブフレームを周期的に変化させる、
請求項１記載の無線通信基地局装置。
【請求項３】
前記設定手段は、前記複数のサブフレームにおいて前記送信タイミングを設定するサブフレームを１フレーム毎に変化させる、
請求項１記載の無線通信基地局装置。
【請求項４】
前記設定手段は、前記同期チャネル信号の送信周期がフレーム周期と互いに素な関係になるように前記送信タイミングを設定する、
請求項１記載の無線通信基地局装置。
【請求項５】
前記設定手段は、前記同期チャネル信号の送信周期がフレーム周期のＮ分の１（Ｎは自然数）と互いに素な関係になるように前記送信タイミングを設定する、
請求項１記載の無線通信基地局装置。
【請求項６】
前記設定手段は、前記同期チャネル信号の送信周期がフレーム周期のＮ分の１（Ｎは自然数）と互いに素な関係にある周期のＮ倍の周期になるように前記送信タイミングを設定する、
請求項１記載の無線通信基地局装置。
【請求項７】
前記送信手段は、さらに、前記設定手段によって設定された前記送信タイミングを無線通信移動局装置へ通知する通知信号を送信する、
請求項１記載の無線通信基地局装置。
【請求項８】
前記同期チャネル信号は、第１同期チャネル信号と第２同期チャネル信号とからなり、
前記送信手段は、前記第２同期チャネル信号を用いて前記通知信号を送信する、
請求項７記載の無線通信基地局装置。
【請求項９】
前記設定手段は、さらに、前記同期チャネル信号の送信周期をＦＤＤシステムとＴＤＤシステムとで互いに異ならせて前記送信タイミングを設定する、
請求項１記載の無線通信基地局装置。
【請求項１０】
１フレームを構成する複数のサブフレームのいずれかに同期チャネル信号の送信タイミングを設定し、その設定した送信タイミングで前記同期チャネル信号を送信する同期チャネル信号送信方法であって、
前記複数のサブフレームにおいて前記送信タイミングを設定するサブフレームを時間の経過とともに変化させる、
同期チャネル信号送信方法。
【手続補正２】
【補正対象書類名】明細書
【補正対象項目名】全文
【補正方法】変更
【補正の内容】
【発明の詳細な説明】
【技術分野】
【０００１】
本発明は、無線通信基地局装置および同期チャネル信号送信方法に関する。
【背景技術】
【０００２】
近年、無線通信、特に移動体通信では、音声以外に画像やデータなどの様々な情報が伝送の対象になっている。今後は、多様なコンテンツの伝送に対する需要がますます高くなることが予想されるため、高速な伝送に対する必要性がさらに高まるであろうと予想される。しかしながら、移動体通信において高速伝送を行う場合、マルチパスによる遅延波の影響が無視できなくなり、周波数選択性フェージングにより伝送特性が劣化する。
【０００３】
周波数選択性フェージング対策技術の１つとして、ＯＦＤＭ（Orthogonal Frequency Division Multiplexing）などのマルチキャリア通信が注目されている。マルチキャリア通信は、周波数選択性フェージングが発生しない程度に伝送速度が抑えられた複数の搬送波（サブキャリア）を用いてデータを伝送することにより、結果的に高速伝送を行う技術である。特に、ＯＦＤＭ方式は、データが配置される複数のサブキャリアが相互に直交しているため、マルチキャリア通信の中でも周波数利用効率が高く、また、比較的簡単なハードウェア構成により実現できることから、とりわけ注目されており、様々な検討が行われている。
【０００４】
現在、３ＧＰＰのＬＴＥ標準化では、下り回線の通信方式としてＯＦＤＭ方式を採用することが検討されている。下り回線のＯＦＤＭでは、複数の無線通信移動局装置（以下、移動局と省略する）へのユーザデータおよび制御データが周波数多重または時間多重されて無線通信基地局装置（以下、基地局と省略する）から各移動局へ送信される。
【０００５】
下り回線のＯＦＤＭにおける制御データの送信方法として、ＳＣＨ（Synchronization Channel：同期チャネル）データを固定の帯域幅（例えば１.２５ＭＨｚ）を用い、固定のタイミング（例えばフレーム末尾）で送信することが提案されている（非特許文献１参照）。
【０００６】
ここで、ＳＣＨは下り方向の共通チャネルで、Ｐ−ＳＣＨ（Primary Synchronization Channel）とＳ−ＳＣＨ（Secondary Synchronization Channel）とからなる。Ｐ−ＳＣＨデータには全セル共通の系列が含まれ、この系列はセルサーチ時のタイミング同期に用いられる。また、Ｓ−ＳＣＨデータにはスクランブリングコード情報等、各セル固有の送信パラメータが含まれる。各移動局は、電源投入時およびハンドオーバ時のセルサーチにおいて、Ｐ−ＳＣＨデータを受信することによりタイミング同期をとり、続いて、Ｓ−ＳＣＨデータを受信することによりセル毎に異なる送信パラメータを取得する。これにより各移動局は基地局との通信を開始することができる。よって、各移動局は、電源投入時およびハンドオーバ時にＳＣＨデータを検出する必要がある。
【０００７】
このように移動局は電源投入時のみならずハンドオーバ時にもＳＣＨデータを検出する必要がある。非同期の移動体通信システムにおいては、ＳＣＨデータの送信タイミングは基地局毎（すなわちセル毎）に異なるため、移動局は、ハンドオーバ先基地局とのタイミング同期をとるためにその基地局から送信されたＳＣＨデータを検出する必要がある。
【０００８】
ここで、移動局は、現在通信している基地局ＢＳ１の周波数帯域（以下、帯域と省略する）と異なる帯域を持つ基地局ＢＳ２へハンドオーバするときには、図１に示すように、基地局ＢＳ１が設けたMeasurement Gap（ＭＧ）においてセルサーチを行い、ハンドオー
バ先基地局ＢＳ２から送信されるＳＣＨデータを検出する。このように移動局が現在通信中の帯域とは異なる帯域において行うセルサーチを、以下、異周波セルサーチという。Measurement Gapは、基地局と移動局との間のデータ送信を停止する区間であり、いわゆる無送信区間である。移動局はこのMeasurement Gapの間に異周波セルサーチを行う。よって、移動局は、ＢＳ１からのユーザデータの受信途中に、Measurement Gapにおいて、受信周波数をＢＳ１の帯域からＢＳ２の帯域に切り替えてＳＣＨデータを検出し、その後再び、ＢＳ２の帯域からＢＳ１の帯域に受信周波数を切り替えてユーザデータを受信しなければならない。この受信周波数の切替には各々１サブフレーム程度の時間を要するため、検出時間も考慮し、ここではMeasurement Gapを３サブフレーム区間設定している。
【０００９】
以下、１フレームが１０ｍｓであり、２０サブフレームからなる通信システムを想定して説明する。また、ＳＣＨデータは１フレームにおいていずれか１つのサブフレームで１回送信される。また、例えば、上記ＢＳ１は、８００ＭＨｚ帯のマクロセルに設置され通常の移動体通信を行う基地局であり、上記ＢＳ２は、そのマクロセル内の一部にホットスポット等として設定された２ＧＨｚ帯または２.６ＧＨｚ帯のマイクロセルに設置され高速通信を行う基地局である。
【００１０】
従来、Measurement Gapは、周期的に、つまり、１フレーム内のいずれかのサブフレームに固定的に設定されている。例えば、図１では、Measurement Gapは、すべてのフレームにおいてサブフレーム＃３〜＃５に固定的に設定される。なお、Measurement Gapが設定されるサブフレームは移動局毎に異なることもある。
【非特許文献１】3GPP RAN WG1 LTE Ad Hoc meeting(2005.06) R1-050590
【発明の開示】
【発明が解決しようとする課題】
【００１１】
しかしながら、上記のようにMeasurement Gapが固定的に設定される場合、従来のようにＳＣＨデータが固定のタイミングで送信されると、移動局ではMeasurement Gapで異周波セルサーチを行えないことがある。例えば、図２に示すように、ＢＳ１のMeasurement Gapがいずれのフレームにおいてもサブフレーム＃３〜＃５に固定的に設定されるのに対し、ＢＳ２からのＳＣＨデータの送信がいずれのフレームにおいてもサブフレーム＃６で行われると、移動局は、いずれのフレームにおいてもＢＳ１でのMeasurement GapでＢＳ２からのＳＣＨデータを検出することができず、よって、異周波セルサーチを行えなくなってしまう。
【００１２】
このような課題を解決するために、図３〜図５に示すように、ＢＳ１でのMeasurement Gapをフレーム毎に１サブフレームずつ移動させることが考えられる。例えば、フレーム＃１ではMeasurement Gapをサブフレーム＃３〜＃５に設定し（図３）、フレーム＃２ではMeasurement Gapをサブフレーム＃４〜＃６に設定し（図４）、フレーム＃３ではMeasurement Gapをサブフレーム＃５〜＃７に設定する（図５）。このようにすれば、移動局は、最大２０フレームに必ず一度はＢＳ２からのＳＣＨデータを検出することができる。
【００１３】
しかし、このような解決方法を採ると新たに以下の課題が生じる。すなわち、上記のようにしてMeasurement Gapを移動させると、移動局は、フレーム＃１，＃２，＃３（図３，図４，図５）のいずれにおいてもサブフレーム＃５ではデータ通信を行うことができない。
【００１４】
よって、ＢＳ１におけるフレームフォーマットが図６に示すようなもので固定である場合、異周波セルサーチ中の移動局はＭＢＭＳ（Multimedia Broadcast/Multicast Service）データの受信機会を失ってしまい、その結果、ＭＢＭＳのサービス品質が低下する。ＭＢＭＳの通信は１対１の通信ではなく１対多の通信となるため、ＭＢＭＳを行う基地局は
、複数の移動局に対して同時に同一のデータ（音楽データ、動画像データ等）を送信する。ＭＢＭＳとしては、交通情報の配信、音楽配信、ニュース配信、スポーツ中継等が検討されている。例えば、ＭＢＭＳでは、図６に示すように、ＢＳ１と通信するすべての移動局が同じサブフレーム＃５で同一のＭＢＭＳデータを受信するため、ＢＳ１と通信する移動局が増えた場合でもＭＢＭＳデータ用のサブフレームを増加させる必要がない。このため、フレーム中の１サブフレームのみをＭＢＭＳデータに使用し、残りの１９サブフレームを各移動局個別のデータに使用する図６に示すようなフレームフォーマットについては十分考慮する必要がある。
【００１５】
また、ＢＳ１におけるフレームフォーマットが図７に示すようなもので固定である場合（ＤＬ：下り回線データ、ＵＬ：上り回線データ）、異周波セルサーチ中の移動局は上り回線データの送信機会を失ってしまう。最近はますます音楽データ、動画像データ等の移動局へのダウンロードが盛んになっているため、フレーム中の１サブフレームのみを上り回線に使用し、残りの１９サブフレームを下り回線に使用する図７に示すようなフレームフォーマットについては十分考慮する必要がある。このようなダウンロード中であっても移動局は制御データ等をＢＳ１に送信する必要があるため、上り回線データの送信機会を失ってしまうと、その結果、下り回線データの受信さえも行えなくなってしまう。
【００１６】
本発明の目的は、上記課題を解決してＳＣＨデータの送信を効率よく行うことができる基地局およびＳＣＨデータ（同期チャネル信号）送信方法を提供することである。
【課題を解決するための手段】
【００１７】
本発明の基地局は、同期チャネル信号の送信タイミングを、１フレームを構成する複数のサブフレームのいずれかに設定する設定手段と、前記設定手段によって設定された前記送信タイミングで前記同期チャネル信号を送信する送信手段と、を具備し、前記設定手段は、前記複数のサブフレームにおいて前記送信タイミングを設定するサブフレームを時間の経過とともに変化させる構成を採る。
【発明の効果】
【００１８】
本発明によれば、ＳＣＨデータ（同期チャネル信号）の送信を効率よく行ってデータ通信の機会を失うことなく異周波セルサーチを行うことができる。
【発明を実施するための最良の形態】
【００１９】
以下、本発明の実施の形態について、図面を参照して詳細に説明する。なお、本発明は、上記ＢＳ２に関する発明である。つまり、本発明は、移動局にＳＣＨデータを送信し、異周波セルサーチの対象となる基地局に関する発明である。また、以下の説明では、ＯＦＤＭ方式をマルチキャリア通信方式の一例として説明するが、本発明はＯＦＤＭ方式に限定されるものではない。
【００２０】
（実施の形態１）
本実施の形態に係る基地局１００の構成を図８に示す。
【００２１】
符号化部１０１は、ＳＣＨデータを符号化する。
【００２２】
変調部１０２は、符号化後のＳＣＨデータを変調する。
【００２３】
送信タイミング設定部１０３は、ＳＣＨデータの送信タイミングを設定する。この送信タイミング設定の詳細は後述する。
【００２４】
符号化部１０４−１〜１０４−Ｎおよび変調部１０５−１〜１０５−Ｎは、基地局１００がユーザデータを送信する移動局＃１〜＃Ｎにそれぞれ対応して備えられる。
【００２５】
符号化部１０４−１〜１０４−Ｎは、ユーザデータ＃１〜＃Ｎをそれぞれ符号化する。
【００２６】
変調部１０５−１〜１０５−Ｎは、符号化後のユーザデータ＃１〜＃Ｎをそれぞれ変調する。
【００２７】
ＩＦＦＴ部１０６は、ＳＣＨデータおよびユーザデータ＃１〜＃Ｎをサブキャリア＃１〜＃Ｋの各々にマッピングしてＩＦＦＴ（Inverse Fast Fourier Transform：逆高速フーリエ変換）を行ってＯＦＤＭシンボルを生成する。
【００２８】
このようにして生成されたＯＦＤＭシンボルは、ＣＰ付加部１０７でサイクリック・プリフィクスを付加された後、無線送信部１０８でアンプコンバート等の所定の無線処理が施され、アンテナ１０９から移動局＃１〜＃Ｎへ無線送信される。
【００２９】
次いで、送信タイミング設定の詳細について説明する。
【００３０】
送信タイミング設定部１０３は、ＳＣＨデータの送信タイミングを、１フレームを構成する複数のサブフレームのいずれかに設定する。よって、この送信タイミング設定により、無線送信部１０８は、送信タイミング設定部１０３よって設定された送信タイミングでＳＣＨデータを含むＯＦＤＭシンボルを送信することとなる。なお、以下の説明では、上記同様、１フレームが２０サブフレームから構成されるものとする。以下、設定例１〜３のそれぞれについて説明する。設定例１〜３のいずれにおいても、送信タイミング設定部１０３は、サブフレーム＃１〜＃２０においてＳＣＨデータの送信タイミングを設定するサブフレームを１フレーム毎に変化させる。つまり、送信タイミング設定部１０３は、ＳＣＨデータの送信タイミングを設定するサブフレームを時間の経過とともに、かつ、周期的に変化させる。
【００３１】
＜設定例１＞
送信タイミング設定部１０３は、図９に示すように、ＳＣＨデータの送信タイミングを、フレーム＃１ではサブフレーム＃１に設定し、フレーム＃２ではサブフレーム＃２に設定し、フレーム＃３ではサブフレーム＃３に設定する。つまり、送信タイミング設定部１
０３は、サブフレーム＃１〜＃２０のうちＳＣＨデータの送信タイミングを設定するサブフレームを、１フレーム毎に１サブフレームずつ後方に移動させる。この設定により、フレーム周期が２０サブフレームであるのに対し、ＳＣＨデータの送信周期Ｔは２１サブフレームとなる。
【００３２】
なお、送信タイミング設定部１０３は、ＳＣＨデータの送信タイミングを設定するサブフレームを１フレーム毎に１サブフレームずつ前方に移動させてもよい。この設定の場合、フレーム周期が２０サブフレームであるのに対し、ＳＣＨデータの送信周期Ｔは１９サブフレームとなる。
【００３３】
このように、送信タイミング設定部１０３は、ＳＣＨデータの送信周期がフレーム周期と互いに素な関係、すなわち、両者の最大公約数が１になるようにＳＣＨデータの送信タイミングを設定する。
【００３４】
図９に示すようにして送信タイミングが設定されたＳＣＨデータの検出の様子を示したのが図１０〜図１２である。ここでは、上記従来同様、移動局が現在通信している基地局ＢＳ１でのMeasurement Gap（ＭＧ）は、すべてのフレームにおいてサブフレーム＃３〜＃５に固定的に設定されている。また、ＭＢＭＳデータ用または上り回線データ用のサブフレームはすべてのフレームにおいてサブフレーム＃７の１サブフレームのみに固定的に設定されている。このように、ＢＳ１におけるフレームフォーマットは固定である。
【００３５】
これに対し、ＢＳ２（基地局１００）においてＳＣＨデータの送信タイミングが設定されるサブフレームは、図１０，図１１，図１２（図９のフレーム＃１，＃２，＃３にそれぞれ対応）に示すように１フレーム毎に変化し、１フレーム毎に１サブフレームずつ後方に移動する。
【００３６】
よって、ＢＳ１のフレームフォーマットが固定でMeasurement Gapが移動しなくても、移動局は、フレーム＃３においてＢＳ２のＳＣＨデータを検出することができる。つまり、移動局は、ＢＳ１において１フレーム中のどのサブフレームにMeasurement Gapが固定的に設定されても、その固定位置にあるMeasurement Gapにおいて最大２０フレームに必ず一度はＢＳ２からのＳＣＨデータを検出することができ、異周波セルサーチを行うことができる。このように、本設定例によれば、固定位置にあるMeasurement Gap内に周期的にＳＣＨデータが現れるため、移動局は異周波セルサーチを迅速に行うことができる。
【００３７】
また、本設定例によれば、ＢＳ２に対する異周波セルサーチを可能とするためにＢＳ１でのMeasurement Gapを移動させる必要がなく、Measurement Gapを特定のサブフレームに固定することが可能となるため、フレーム内においてMeasurement GapをＭＢＭＳデータ用または上り回線データ用のサブフレームと異なるサブフレームに設定することにより、移動局は、ＭＢＭＳデータの受信機会および上り回線データの送信機会を失うことなく異周波セルサーチを行うことができる。
【００３８】
＜設定例２＞
送信タイミング設定部１０３は、図１３に示すように、ＳＣＨデータの送信タイミングを、フレーム＃１ではサブフレーム＃１に設定し、フレーム＃２ではサブフレーム＃３に設定し、フレーム＃３ではサブフレーム＃５に設定する。つまり、送信タイミング設定部１０３は、サブフレーム＃１〜＃２０のうちＳＣＨデータの送信タイミングを設定するサブフレームを、１フレーム毎に２サブフレームずつ後方に移動させ、奇数番目のサブフレームに対してのみＳＣＨデータの送信タイミングを設定する。この設定により、フレーム周期が２０サブフレームであるのに対し、ＳＣＨデータの送信周期Ｔは２２サブフレームとなる。
【００３９】
なお、フレーム＃１でのＳＣＨデータの送信タイミングが偶数番目のサブフレーム（例えばサブフレーム＃２）に設定されている場合、本設定例によれば、偶数番目のサブフレームに対してのみＳＣＨデータの送信タイミングが設定される。
【００４０】
また、送信タイミング設定部１０３は、ＳＣＨデータの送信タイミングを設定するサブフレームを１フレーム毎に２サブフレームずつ前方に移動させてもよい。この設定の場合、フレーム周期が２０サブフレームであるのに対し、ＳＣＨデータの送信周期Ｔは１８サブフレームとなる。
【００４１】
このように、送信タイミング設定部１０３は、ＳＣＨデータの送信周期がフレーム周期のＮ分の１（Ｎは自然数）と互いに素な関係にある周期のＮ倍の周期になるようにＳＣＨデータの送信タイミングを設定する。上記のようにフレーム周期が２０サブフレームであるのに対し、ＳＣＨデータの送信周期Ｔを２２サブフレームとする場合、Ｎ＝２であり、よって、フレーム周期のＮ分の１は１０サブフレームとなる。そして、この１０サブフレームと互いに素な関係にある周期として１１サブフレームを用いた場合、この１１サブフレームのＮ倍が２２サブフレームとなる。
【００４２】
このように、本設定例によれば、ＢＳ２（基地局１００）においてＳＣＨデータの送信タイミングが設定されるサブフレームは、１フレーム毎に２サブフレームずつ後方または前方に移動する。よって、図１３に示す例では、ＳＣＨデータの送信タイミングはフレーム＃１１において再びサブフレーム＃１に戻る。よって、ＢＳ１におけるMeasurement GapでのＳＣＨデータ検出区間を２サブフレーム（つまり受信周波数切替区間を含めMeasurement Gapを４サブフレーム）とすることにより、移動局は、固定位置にあるMeasurement Gapにおいて最大１０フレームに必ず一度はＢＳ２からのＳＣＨデータを検出することができる。このように、本設定例によれば、上記設定例１に比べMeasurement GapのＳＣＨデータ検出区間にＳＣＨデータが現れる頻度が高くなるため、上記設定例１に比べ異周波セルサーチに要する時間を短縮することができる。
【００４３】
＜設定例３＞
送信タイミング設定部１０３は、図１４に示すように、ＳＣＨデータの送信タイミングを、フレーム＃１ではサブフレーム＃１および＃１２に設定し、フレーム＃２ではサブフレーム＃３および＃１４に設定する。つまり、送信タイミング設定部１０３は、ＳＣＨデータの送信タイミングを設定するサブフレームを１フレームに２つ設けるとともに、それら２つのサブフレームを１フレーム毎に２サブフレームずつ後方に移動させる。この設定により、フレーム周期が２０サブフレームであるのに対し、ＳＣＨデータの送信周期Ｔは１１サブフレームとなる。
【００４４】
なお、送信タイミング設定部１０３は、ＳＣＨデータの送信タイミングを設定する２つのサブフレームを１フレーム毎に２サブフレームずつ前方に移動させてもよい。この設定の場合、フレーム周期が２０サブフレームであるのに対し、ＳＣＨデータの送信周期Ｔは９サブフレームとなる。
【００４５】
このように、送信タイミング設定部１０３は、ＳＣＨデータの送信周期がフレーム周期のＮ分の１（Ｎは自然数）と互いに素な関係になるようにＳＣＨデータの送信タイミングを設定する。上記のようにフレーム周期が２０サブフレームであるのに対し、ＳＣＨデータの送信周期Ｔを１１サブフレームとする場合、Ｎ＝２であり、よって、フレーム周期のＮ分の１は１０サブフレームとなる。そして、この１０サブフレームと互いに素な関係にある周期が１１サブフレームとなる。
【００４６】
このように、本設定例によれば、ＢＳ２（基地局１００）においてＳＣＨデータの送信タイミングが設定されるサブフレームは、上記設定例２同様、１フレーム毎に２サブフレームずつ後方または前方に移動する。さらに、本設定例では、ＳＣＨデータが送信されるサブフレームが１フレームに２つあり、それら２つのサブフレームはいずれのフレームにおいても奇数番目のサブフレームと偶数番目のサブフレームとなる。よって、本設定例によれば、移動局は、固定位置にあるMeasurement Gapにおいて最大１０フレームに必ず一度はＢＳ２からのＳＣＨデータを検出することができる。このように、本設定例によれば、上記設定例２同様、上記設定例１に比べMeasurement GapのＳＣＨデータ検出区間にＳＣＨデータが現れる頻度が高くなるため、上記設定例１に比べ異周波セルサーチに要する時間を短縮することができる。
【００４７】
以上のように、本実施の形態によれば、ＳＣＨデータの送信を効率よく行ってデータ通信の機会を失うことなく異周波セルサーチを行うことができる。
【００４８】
（実施の形態２）
本実施の形態に係る基地局は、送信タイミング設定部１０３によって設定されたＳＣＨデータの送信タイミングをＳ−ＳＣＨにより移動局へ通知する。
【００４９】
本実施の形態に係る基地局２００の構成を図１５に示す。図１５において実施の形態１（図８）と同一の構成部分には同一符号を付し説明を省略する。
【００５０】
送信タイミング設定部１０３は、設定したＳＣＨデータの送信タイミングを移動局へ通知するデータ、すなわち、ＳＣＨデータを送信するタイミングがサブフレーム＃１〜＃２０のいずれであるかを示すデータ（送信タイミング通知データ）を生成し、Ｓ−ＳＣＨデータとして符号化部２０１に出力する。つまり、送信タイミング通知データは、ＳＣＨのうちＳ−ＳＣＨにより伝送される。送信タイミング通知データは、例えば、ＳＣＨデータが送信されるサブフレームの番号である。
【００５１】
また、符号化部２０１には、Ｓ−ＳＣＨデータとして、スクランブリングコード情報等が入力される。
【００５２】
符号化部２０１は、Ｓ−ＳＣＨデータを符号化する。
【００５３】
変調部２０２は、符号化後のＳ−ＳＣＨデータを変調する。
【００５４】
また、ＳＣＨのうちＰ−ＳＣＨで伝送されるデータ（Ｐ−ＳＣＨデータ）が変調部２０３で変調される。
【００５５】
送信タイミング設定部１０３は、Ｐ−ＳＣＨデータとＳ−ＳＣＨデータとからなるＳＣＨデータの送信タイミングを実施の形態１と同様にして設定する。ここでは、上記設定例１により送信タイミングを設定する。よって、Ｐ−ＳＣＨデータとＳ−ＳＣＨデータとからなるＳＣＨデータの送信タイミングは、図１６に示すようになる。
【００５６】
ＩＦＦＴ部１０６は、Ｐ−ＳＣＨデータとＳ−ＳＣＨデータとからなるＳＣＨデータおよびユーザデータ＃１〜＃Ｎをサブキャリア＃１〜＃Ｋの各々にマッピングしてＩＦＦＴを行ってＯＦＤＭシンボルを生成する。
【００５７】
ここで、図１６に示す例では、送信タイミング通知データとして、フレーム＃１のＳ−ＳＣＨではサブフレーム＃１が、フレーム＃２のＳ−ＳＣＨではサブフレーム＃２が、フレーム＃３のＳ−ＳＣＨではサブフレーム＃３がそれぞれ通知される。よって、本実施の
形態によれば、移動局は電源投入時のセルサーチおよび異周波セルサーチの際にフレームタイミングを知ることができるため、電源投入時のセルサーチおよび異周波セルサーチに要する時間を短縮することができる。
【００５８】
なお、ここではＰ−ＳＣＨとＳ−ＳＣＨとを時間多重したが、多重方式は周波数多重等、他の方式でもよい。
【００５９】
（実施の形態３）  
本実施の形態では、ＳＣＨデータの送信周期をＦＤＤ（Frequency Division Duplex）システムとＴＤＤ（Time Division Duplex）システムとで互いに異ならせる。
【００６０】
本実施の形態に係る基地局１００の構成は実施の形態１（図８）と同一である。但し、送信タイミング設定部１０３は、基地局１００がＦＤＤシステムにおいて用いられる基地局である場合と、ＴＤＤシステムにおいて用いられる基地局である場合とで、ＳＣＨデータの送信周期を互いに異ならせてＳＣＨデータの送信タイミングを設定する。例えば、上記マクロセルにはＦＤＤシステムが適用され、上記マイクロセルにはＴＤＤシステムが適用される場合、マクロセルに設置された基地局１００の送信タイミング設定部１０３はＳＣＨデータの送信周期を上記設定例１に従って２１サブフレームに設定するのに対し、マイクロセルに設置された基地局１００の送信タイミング設定部１０３はＳＣＨデータの送信周期を上記設定例２に従って１１サブフレームに設定する。
【００６１】
これにより、移動局は、電源投入時のセルサーチおよび異周波セルサーチの際に、ＳＣＨデータの送信周期に基づいて、通信方式がＦＤＤ方式またはＴＤＤ方式のいずれであるかを判定することができ、各セルの通信方式に適応した通信を行うことができる。
【００６２】
以上、本発明の実施の形態について説明した。
【００６３】
なお、Measurement Gapが設定されるサブフレームは移動局毎に異なっていてもよい。
【００６４】
また、基地局はNode B、移動局はUE、サブキャリアはトーン、サイクリック・プリフィクスはガードインターバル、サブフレームはタイムスロットまたは単にスロットと呼ばれることもある。
【００６５】
また、上記実施の形態では、本発明をハードウェアで構成する場合を例にとって説明したが、本発明はソフトウェアで実現することも可能である。
【００６６】
また、上記実施の形態の説明に用いた各機能ブロックは、典型的には集積回路であるＬＳＩとして実現される。これらは個別に１チップ化されてもよいし、一部又は全てを含むように１チップ化されてもよい。
【００６７】
ここでは、ＬＳＩとしたが、集積度の違いにより、ＩＣ、システムＬＳＩ、スーパーＬＳＩ、ウルトラＬＳＩと呼称されることもある。
【００６８】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００６９】
さらには、半導体技術の進歩又は派生する別技術によりＬＳＩに置き換わる集積回路化の技術が登場すれば、当然、その技術を用いて機能ブロックの集積化を行ってもよい。バ
イオ技術の適用等が可能性としてありえる。
【００７０】
２００６年１月１３日出願の特願２００６−００５７８１の日本出願に含まれる明細書、図面および要約書の開示内容は、すべて本願に援用される。
【産業上の利用可能性】
【００７１】
本発明は、移動体通信システムおいて使用される基地局等に好適である。
【図面の簡単な説明】
【００７２】
【図１】従来のＳＣＨデータ送信方法
【図２】従来のＳＣＨデータ送信方法に対する課題例
【図３】従来のＳＣＨデータ送信方法に対する課題解決例（フレーム＃１）
【図４】従来のＳＣＨデータ送信方法に対する課題解決例（フレーム＃２）
【図５】従来のＳＣＨデータ送信方法に対する課題解決例（フレーム＃３）
【図６】従来のフレームフォーマット例（フレームフォーマット例１）
【図７】従来のフレームフォーマット例（フレームフォーマット例２）
【図８】本発明の実施の形態１に係る基地局の構成を示すブロック図
【図９】本発明の実施の形態１に係る送信タイミング設定例（設定例１）
【図１０】本発明の実施の形態１に係るＳＣＨデータ検出例（フレーム＃１）
【図１１】本発明の実施の形態１に係るＳＣＨデータ検出例（フレーム＃２）
【図１２】本発明の実施の形態１に係るＳＣＨデータ検出例（フレーム＃３）
【図１３】本発明の実施の形態１に係る送信タイミング設定例（設定例２）
【図１４】本発明の実施の形態１に係る送信タイミング設定例（設定例３）
【図１５】本発明の実施の形態２に係る基地局の構成を示すブロック図
【図１６】本発明の実施の形態２に係る送信タイミング設定例
【手続補正３】
【補正対象書類名】図面
【補正対象項目名】全図
【補正方法】変更
【補正の内容】
【図１】
2007080976.tif 000019
【図２】
2007080976.tif 000020
【図３】
2007080976.tif 000021
【図４】
2007080976.tif 000022
【図５】
2007080976.tif 000023
【図６】
2007080976.tif 000024
【図７】
2007080976.tif 000025
【図８】
2007080976.tif 000026
【図９】
2007080976.tif 000027
【図１０】
2007080976.tif 000028
【図１１】
2007080976.tif 000029
【図１２】
2007080976.tif 000030
【図１３】
2007080976.tif 000031
【図１４】
2007080976.tif 000032
【図１５】
2007080976.tif 000033
【図１６】
2007080976.tif 000034
【国際調査報告】
2007080976.tif 000035
2007080976.tif 000036
2007080976.tif 000037
2007080976.tif 000038